(57)【特許請求の範囲】
【請求項１】
配線パターンを設けた回路基板と、この回路基板に設けられたテレビジョン信号を出力するための周波数変換部と、前記回路基板に取り付けられ、前記周波数変換部に接続された同軸コネクタと、前記回路基板を取り付けるシャーシとを備え、前記配線パターンは、第１の接地用パターンと、前記同軸コネクタの中心導体と前記周波数変換部の出力端子とを接続する伝送パターンとを有すると共に、前記伝送パターンが前記第１の接地用パターンと前記シャーシとの間に配設されて、前記伝送パターンの両面が前記第１の接地用パターンと前記シャーシとによって電気的にシールドされたことを特徴とするテレビジョン信号送信機。
【請求項２】
前記シャーシが前記回路基板の面から所定の間隔を隔てて配置されたことを特徴とする請求項１記載のテレビジョン信号送信機。
【請求項３】
前記回路基板の一方の面には、前記伝送パターンと対向した状態で前記第１の接地用パターンが設けられると共に、前記回路基板の他方の面側には、前記伝送パターンと対向した状態で前記シャーシの底壁が配置されたことを特徴とする請求項２記載のテレビジョン信号送信機。
【請求項４】
前記伝送パターンが前記回路基板の側縁近傍に沿って配置されると共に、前記回路基板の前記側縁に沿って前記シャーシの側壁が配置され、前記伝送パターンの側縁側が前記シャーシの前記側壁によって電気的にシールドされたことを特徴とする請求項２、又は３記載のテレビジョン信号送信機。
【請求項５】
前記伝送パターンが前記回路基板内に設けられたことを特徴とする請求項３，又は４の何れかに記載のテレビジョン信号送信機。
【請求項６】
前記回路基板には、前記第１の接地用パターンを設けた面と反対面に第２の接地用パターンを設けると共に、この第２の接地用パターンには、前記伝送パターンと対向する箇所に削除部が設けられ、前記第１，第２の接地用パターンは、前記伝送パターンに沿った近傍の位置で、複数の接続導体で接続されて、前記伝送パターンの側縁側を電気的にシールドするようにしたことを特徴とする請求項３から５の何れかに記載のテレビジョン信号送信機。
【発明の詳細な説明】
【０００１】
【発明の属する技術分野】
本発明は、ＣＡＴＶに使用されるテレビジョン信号送信機に関する。
【０００２】
【従来の技術】
従来のテレビジョン信号送信機の構成を図５に基づいて説明すると、金属板からなる箱形のシャーシ５１の側壁５１ａには、同軸コネクタ５２，５３，５４が取り付けられると共に、シャーシ５１内には、配線パターン（図示せず）を設けた回路基板５５がネジ５６により取り付けられている。
【０００３】
また、回路基板５５には、シールドケース５７によって電気的にシールドされた第１の周波数変換部５８と、この第１の周波数変換部５８の奥部に位置するシールドケース５９によって電気的にシールドされ、テレビジョン信号を出力するための第２の周波数変換部６０とが設けられている。
そして、シールドケース５７には、第１の周波数変換部５８に接続された２個の同軸コネクタ６１，６２が取り付けられると共に、シールドケース５９には、第２の周波数変換部６０に接続された１個の同軸コネクタ６３が取り付けられている。
【０００４】
３個の同軸ケーブル６４，６５，６６は、ここでは図示しないが、中心導体が編み線によってシールドされた構成を有し、そして、同軸ケーブル６４は同軸コネクタ５２と第１の周波数変換部５８の同軸コネクタ６１に、また、同軸ケーブル６５は同軸コネクタ５３と第１の周波数変換部５８の同軸コネクタ６２に、更に、同軸ケーブル６６は同軸コネクタ５４と第２の周波数変換部６０の同軸コネクタ６３にそれぞれ接続されている。
【０００５】
このような構成を有するテレビジョン信号送信機は、第１，第２の中間周波信号がそれぞれ同軸コネクタ５２，５３から同軸ケーブル６４，６５を介して第１の周波数変換部５８に入力される。
すると、この第１の周波数変換部５８によって固定の周波数に変換され、この周波数が回路基板５５の配線パターンによって第２の周波数変換部６０に入力される。
【０００６】
また、固定の周波数が第２の周波数変換部６０に入力されると、この第２の周波数変換部６０によって所望のチャンネルのテレビジョン信号に変換され、このテレビジョン信号が同軸ケーブル６６を通して同軸コネクタ５４に出力されるようになっている。
【０００７】
【発明が解決しようとする課題】
従来のテレビジョン信号送信機は、テレビジョン信号を出力するための周波数変換部６０からテレビジョン信号を出力するために、２個の同軸コネクタ５４，６３と同軸ケーブル６６を必要とするため、部品点数が多くなってコスト高になるという問題がある。
また、同軸ケーブル６６は部品費が高く、且つ、同軸ケーブル６６を半田付けにより同軸コネクタ５４，６３に取り付ける作業を必要とし、作業性が悪く、コスト高になるという問題がある。
【０００８】
そこで、本発明は生産性が良く、安価なテレビジョン信号送信機を提供することを目的とする。
【０００９】
【課題を解決するための手段】
上記課題を解決するための第１の解決手段として、配線パターンを設けた回路基板と、この回路基板に設けられたテレビジョン信号を出力するための周波数変換部と、前記回路基板に取り付けられ、前記周波数変換部に接続された同軸コネクタと、前記回路基板を取り付けるシャーシとを備え、前記配線パターンは、第１の接地用パターンと、前記同軸コネクタの中心導体と前記周波数変換部の出力端子とを接続する伝送パターンとを有すると共に、前記伝送パターンが前記第１の接地用パターンと前記シャーシとの間に配設されて、前記伝送パターンの両面が前記第１の接地用パターンと前記シャーシとによって電気的にシールドされた構成とした。
【００１０】
また、第２の解決手段として、前記シャーシが前記回路基板の面から所定の間隔を隔てて配置された構成とした。
また、第３の解決手段として、前記回路基板の一方の面には、前記伝送パターンと対向した状態で前記第１の接地用パターンが設けられると共に、前記回路基板の他方の面側には、前記伝送パターンと対向した状態で前記シャーシの底壁が配置された構成とした。
【００１１】
また、第４の解決手段として、前記伝送パターンが前記回路基板の側縁近傍に沿って配置されると共に、前記回路基板の前記側縁に沿って前記シャーシの側壁が配置され、前記伝送パターンの側縁側が前記シャーシの前記側壁によって電気的にシールドされた構成とした。
また、第５の解決手段として、前記伝送パターンが前記回路基板内に設けられた構成とした。
【００１２】
また、第６の解決手段として、前記回路基板には、前記第１の接地用パターンを設けた面と反対面に第２の接地用パターンを設けると共に、この第２の接地用パターンには、前記伝送パターンと対向する箇所に削除部が設けられ、前記第１，第２の接地用パターンは、前記伝送パターンに沿った近傍の位置で、複数の接続導体で接続されて、前記伝送パターンの側縁側を電気的にシールドするようにした構成とした。
【００１３】
【発明の実施の形態】
本発明のテレビジョン信号送信機の図面を説明すると、図１は本発明のテレビジョン信号送信機の要部の平面図、図２は本発明のテレビジョン信号送信機の要部の下面図、図３は本発明のテレビジョン信号送信機の要部の断面図、図４は本発明のテレビジョン信号送信機の要部の拡大断面図である。
【００１４】
次に、本発明のテレビジョン信号送信機の構成を図１〜図４に基づいて説明すると、金属板からなる箱形のシャーシは、底壁１ａと、この底壁１ａの周囲から直角方向に延びる側壁１ｂと、底壁１ａに設けられた複数個の凸部１ｃとを有する。
【００１５】
複数の基板が積層されて形成された回路基板２には、上面と回路基板２内に配線パターン（図示せず）が設けられると共に、上面に設けられた第１の接地用パターン３と、下面に設けられた第２の接地用パターン４と、回路基板２内に設けられた第１，第２，第３の伝送パターン５，６，７とが設けられている。
【００１６】
そして、第１，第２の伝送パターン５，６は、特に図１，図２に示すように、回路基板２の前方部から中央部に向かって並設され、また、第３の伝送パターン７は、回路基板２の前方部から奥部にわたって設けられると共に、第３の伝送パターン７の一部が回路基板２の側縁２ａ近傍に沿って配置されている。
【００１７】
また、回路基板２の上面に設けられた第１の接地用パターン３は、第３の伝送パターン７の一面である上面と対向した状態で配設され、第３の伝送パターン７の上面側が第１の接地用パターン３によって電気的にシールドされた構成となっている。
また、回路基板２の下面に設けられた第２の接地用パターン４は、回路基板２の下面のほぼ全面に設けられると共に、この第２の接地用パターン４には、特に図２に示すように、第３の伝送パターン７の他面である下面と対向する箇所に削除部４ａが設けられている。
更に、第２の接地用パターン４には、図２に示すように、第１，第２の伝送パターン５，６の端部と対向する位置に削除部４ｂが設けられている。
【００１８】
そして、この第１，第２の接地用パターン３，４は、第３の伝送パターン７に沿った近傍の複数の位置で、複数個のスルーホール２ｂに充填された導電ペースト等からなる接続導体８によって接続され、第３の伝送パターン７の側縁側が電気的にシールドされた構成となっている。
【００１９】
また、回路基板２には、シールドケース９によって電気的にシールドされた第１の周波数変換部１０と、この第１の周波数変換部１０の奥部に位置するシールドケース１１によって電気的にシールドされ、テレビジョン信号を出力するための第２の周波数変換部１２とが設けられている。
【００２０】
そして、第１，第２の伝送パターン５，６は第１の周波数変換部１０まで延びて、回路基板２に設けたスルーホール（図示せず）に充填された接続導体（図示せず）によって、第１の周波数変換部１０に接続されると共に、第３の伝送パターン７は第２の周波数変換部１２まで延びて、回路基板２に設けたスルーホール２ｂに充填された接続導体１３によって、第２の周波数変換部１２の出力端子１２ａに接続されている。
【００２１】
第１，第２，第３の同軸コネクタ１４，１５，１６は、金属材で形成され、Ｌ字状の筒部からなる外導体１７と、この外導体１７内に位置し、絶縁材１８を介して取り付けられた中心導体１９とで構成されている。
そして、第１，第２の同軸コネクタ１４，１５は、回路基板２の前方部において、外導体１７が第１の接地用パターン３に半田付けされて取り付けられると共に、中心導体１９がそれぞれ第１，第２の伝送パターン５，６に半田付けされて接続されている。
【００２２】
また、第３の同軸コネクタ１６は、回路基板２の前方部において、外導体１７が第１の接地用パターン３に半田付けされて取り付けられると共に、中心導体１９が第３の伝送パターン７に半田付けされて接続されている。
そして、このように構成された回路基板２は、第１，第２，第３の同軸コネクタ１４，１５，１６を側壁１ｂから外方に突出させた状態で、シャーシ１内に収納されると共に、回路基板２が凸部１ｃ上に載置された状態で、ネジ２０によって底壁１ａに取り付けられている。
【００２３】
このように回路基板２が取り付けられた際、凸部１ｃと当接した箇所を除く回路基板２の下面からは、底壁１ａが所定の間隔を隔てて配置されると共に、この底壁１ａが第３の伝送パターン７の下面と対向した状態となって、第３の伝送パターン７の下面側が底壁１ａによって電気的にシールドされた構成となり、従って、第３の伝送パターン７の上下の両面が底壁１ａと第１の接地用パターン３とで電気的にシールドされている。
【００２４】
更に、回路基板２が取り付けられた際、側壁１ｂは回路基板２の側縁２ａに沿って配置された状態となり、これによって、第３の伝送パターン７の側縁において、回路基板２の側縁２ａ側が側壁１ｂによって電気的にシールドされた構成となり、従って、第３の伝送パターン７の両側縁側が側壁１ｂと接続導体８によって電気的にシールドされている。
【００２５】
このような構成を有するテレビジョン信号送信機は、第１，第２の中間周波信号がそれぞれ第１，第２の同軸コネクタ１４，１５から第１，第２の伝送パターン５，６を介して第１の周波数変換部１０に入力される。
すると、この第１の周波数変換部１０によって固定の周波数に変換され、この周波数が回路基板２の配線パターンによって第２の周波数変換部１２に入力される。
【００２６】
また、固定の周波数が第２の周波数変換部１２に入力されると、この第２の周波数変換部１２によって所望のチャンネルのテレビジョン信号に変換され、このテレビジョン信号が第３の伝送パターン７を通して第３の同軸コネクタ１６に出力されるようになっている。
【００２７】
このようなテレビジョン信号を伝送する第３の伝送パターン７の特性インピーダンス（例えば、７５Ω）は、第３の伝送パターン７の幅と、この第３の伝送パターン７とグランド導体との間の容量とによって決定される。
即ち、第３の伝送パターン７とグランド導体との間の容量が大きい時は、第３の伝送パターン７の幅を小さくすることによって特性インピーダンスを得ると共に、第３の伝送パターン７とグランド導体との間の容量が小さい時は、第３の伝送パターン７の幅を大きくすることによって特性インピーダンスを得るものである。
【００２８】
そして、本発明においては、第３の伝送パターン７とグランド導体である第１の接地用パターン３との間、及び第３の伝送パターン７とグランド導体であるシャーシ１の底壁１ａとの間で主に容量が形成されるが、グランド導体としてシャーシ１の底壁１ａを使用することによって、この底壁１ａを回路基板２から隔てて配置できて、容量を小さくできると共に、第３の伝送パターン７の幅を大きくでき、また、第３の伝送パターン７の幅が大きくなると、伝送損失を少なくできるものである。
【００２９】
また、本発明は第１，第２の伝送パターン５，６を設けることによって、従来の同軸ケーブル６４，６５を無くすることができて、生産性が良く、安価なものが得られる。
【００３０】
なお、上記実施例においては、第３の伝送パターン７を回路基板２内に設けたもので説明したが、第３の伝送パターン７を回路基板２の下面に設けて、この第３の伝送パターン７をレジストで覆うようにしても良い。
また、第１の接地用パターン３は、回路基板２の上面に形成したもので説明したが、回路基板２内に設けても良い。
【００３１】
【発明の効果】
本発明のテレビジョン信号送信機において、配線パターンは、第１の接地用パターン３と、同軸コネクタ１６の中心導体１９と周波数変換部１２の出力端子１２ａとを接続する伝送パターン７とを有すると共に、伝送パターン７が記第１の接地用パターン３とシャーシ１との間に配設されて、伝送パターン７の両面が第１の接地用パターン３とシャーシ１とによって電気的にシールドされたため、従来の同軸ケーブルが不要となって、生産性が良く、安価なものを提供できる。
【００３２】
また、グランド導体であるシャーシ１が回路基板２の面から所定の間隔を隔てて配置されたため、容量が小さくなって、伝送パターン７の幅を大きくでき、このため、伝送パターン７の製造が容易となるばかりか、伝送パターン７の幅が大きいため、伝送損失を少なくできる。
【００３３】
また、回路基板２の一方の面には、伝送パターン７と対向した状態で第１の接地用パターン３が設けられたため、回路基板２内に第１の接地用パターン３を設けたものに比して、第１の接地用パターン３を伝送パターン７から遠くに配置できて、伝送パターン７の幅を大きくでき、伝送パターン７の製造が容易となるばかりか、伝送パターン７の幅が大きいため、伝送損失を少なくできる。
【００３４】
また、伝送パターン７が回路基板２の側縁２ａ近傍に沿って配置されると共に、回路基板２の側縁２ａに沿ってシャーシ１の側壁１ｂが配置され、伝送パターン７の側縁側がシャーシ１の側壁１ｂによって電気的にシールドされたため、一層、伝送パターン７のシールド効果を高めることができる。
【００３５】
また、伝送パターン７が回路基板２内に設けられたため、シャーシ１等とのショートを何ら配慮する必要が無く、絶縁性が良好で、生産性の良いものが得られる。
【００３６】
また、回路基板２には、第１の接地用パターン３を設けた面と反対面に第２の接地用パターン４を設けると共に、この第２の接地用パターン４には、伝送パターン７と対向する箇所に削除部４ａが設けられ、第１，第２の接地用パターン３，４は、伝送パターン７に沿った近傍の位置で、複数の接続導体８で接続されて、伝送パターン７の側縁側を電気的にシールドするようにしたため、一層、伝送パターン７のシールド効果を高めることができる。
【図面の簡単な説明】
【図１】本発明のテレビジョン信号送信機の要部の平面図。
【図２】本発明のテレビジョン信号送信機の要部の下面図。
【図３】本発明のテレビジョン信号送信機の要部の断面図。
【図４】本発明のテレビジョン信号送信機の要部の拡大断面図。
【図５】従来のテレビジョン信号送信機の要部の平面図。
【符号の説明】
１  シャーシ
１ａ  底壁
１ｂ  側壁
１ｃ  凸部
２  回路基板
２ａ  側縁
２ｂ  スルーホール
３  第１の接地用パターン
４  第２の接地用パターン
４ａ  削除部
４ｂ  削除部
５  第１の伝送パターン
６  第２の伝送パターン
７  第３の伝送パターン
８  接続導体
９  シールドケース
１０  第１の周波数変換部
１１  シールドケース
１２  第２の周波数変換部
１２ａ  出力端子
１３  接続導体
１４  第１の同軸コネクタ
１５  第２の同軸コネクタ
１６  第３の同軸コネクタ
１７  外導体
１８  絶縁材
１９  中心導体
２０  ネジ
【図１】
0003718119.tif 000002
【図２】
0003718119.tif 000003
【図３】
0003718119.tif 000004
【図４】
0003718119.tif 000005
【図５】
0003718119.tif 000006